【手続補正書】
【提出日】平成18年6月29日(2006.6.29)
【手続補正１】
【補正対象書類名】明細書
【補正対象項目名】特許請求の範囲
【補正方法】変更
【補正の内容】
【特許請求の範囲】
【請求項１】ディジタルマルチキャリア復調処理を行う受信装置を有し、実係数ウェーブレットフィルタバンクを用いたディジタルマルチキャリア変復調処理によりデータ伝送を行うマルチキャリア伝送方法を用いた通信装置であって、
前記受信装置は検波部を有し、
前記検波部は、受信波形データをウェーブレット変換する互いに直交する複数Ｍ個の実係数ウェーブレットフィルタで構成される第１のウェーブレット変換器と、
前記受信波形データをヒルベルト変換するヒルベルト変換器と、
前記ヒルベルト変換器からの出力をウェーブレット変換する第２のウェーブレット変換器と、
前記第１のウェーブレット変換器からの出力を複素情報の同相成分とし、前記第２のウェーブレット変換器からの出力を直交成分として複素データを生成する複素データ生成器とを有することを特徴とする通信装置。
【請求項２】前記第２のウェーブレット変換器からのＭ個の出力の奇数番目の出力を符号反転する符号変換器を更に有することを特徴とする請求項１に記載の通信装置。
【請求項３】前記符号変換器からの出力について前記ヒルベルト変換器のリプルによる振幅変動を補正するレベル変換器を更に有することを特徴とする請求項２に記載の通信装置。
【請求項４】ディジタルマルチキャリア復調処理を行う受信装置を有する実係数ウェーブレットフィルタバンクを用いたディジタルマルチキャリア変復調処理によりデータ伝送を行うマルチキャリア伝送方法を用いた通信装置であって、
前記受信装置は検波部を有し、
前記検波部は、受信波形データをウェーブレット変換する互いに直交する複数Ｍ個の実係数ウェーブレットフィルタで構成される第１のウェーブレット変換器と、
受信波形データに対してヒルベルト変換、ウェーブレット変換、奇数番目の符号の反転を行うウェーブレットフィルタで構成される第２のウェーブレット変換器と、
前記第１のウェーブレット変換器からの出力を複素情報の同相成分とし、前記第２のウェーブレット変換器からの出力を直交成分として複素データを生成する複素データ生成器とを有することを特徴とする通信装置。
【請求項５】前記第１のウェーブレット変換器は、実係数を有する第１のポリフェーズフィルタで構成された第１のプロトタイプフィルタと、
Ｍ個のダウンサンプラと、
Ｍ−１個の１サンプル遅延素子と、
高速Ｍ点（Ｍは複数）の離散コサイン変換器とを有し、
前記第２のウェーブレット変換器は、実係数を有する第２のポリフェーズフィルタで構成された第２のプロトタイプフィルタと、
Ｍ個のダウンサンプラと、
Ｍ−１個の１サンプル遅延素子と、
高速Ｍ点の離散サイン変換器とを有することを特徴とする請求項１に記載の通信装置。
【請求項６】前記第２のウェーブレット変換器は、実係数を有する第２のポリフェーズフィルタで構成された第３のプロトタイプフィルタと、
複数Ｍ個のダウンサンプラと、
Ｍ−１個の１サンプル遅延素子と、
入力系列の順番をＭ個単位で反転させる時系列反転器と、
高速Ｍ点の離散コサイン変換器と、
入力系列の奇数番目の符号を反転する符号反転器とを有することを特徴とする請求項１に記載の通信装置。
【請求項７】ディジタルマルチキャリア復調処理を行う受信装置を有し、実係数ウェーブレットフィルタバンクを用いたディジタルマルチキャリア変復調処理によりデータ伝送を行うマルチキャリア伝送方法を用いた通信装置であって、
前記受信装置は、請求項１乃至５のいずれか１に記載の検波部と、
前記検波部から得られる複素情報と等化処理用にあらかじめ割り当てられた等化用既知信号とを用いて等化を行う等化器と、
前記等化器から得られる信号を用いて判定を行う判定器とを有することを特徴とする通信装置。
【請求項８】ディジタルマルチキャリア変調処理を行う送信装置とディジタルマルチキャリア復調処理を行う受信装置とを有し、実係数ウェーブレットフィルタバンクを用いたディジタルマルチキャリア変復調処理によりデータ伝送を行うマルチキャリア伝送方法を用いた通信装置であって、
前記送信装置は、連続する数シンボルの間に渡って同一で且つ前記受信装置で既知の同期用データを発生する同期用データ発生器と、
前記同期用データを逆ウェーブレット変換する逆ウェーブレット変換器とを有し、
前記受信装置は、請求項１乃至７のいずれか１に記載の検波部と、
前記検波部から得られる複素情報と等化処理用にあらかじめ割り当てられた等化用既知信号とを用いて等化を行う等化器と、
前記等化器から得られる信号を用いて判定を行う判定器と、
前記検波部より出力される隣接する複素サブキャリア間の位相差からシンボル同期タイミングを推定する同期推定回路とを有することを特徴とする通信装置。
【請求項９】ディジタルマルチキャリア変調処理を行う送信装置とディジタルマルチキャリア復調処理を行う受信装置とを有し、実係数ウェーブレットフィルタバンクを用いたディジタルマルチキャリア変復調処理によりデータ伝送を行うマルチキャリア伝送方法を用いた通信装置であって、
前記送信装置は、連続する数シンボルの間に渡って同一で且つ前記受信装置で既知の同期用データを発生する同期用データ発生器と、
前記同期用データを逆ウェーブレット変換する逆ウェーブレット変換器とを有し、
前記受信装置の検波部は、受信波形データをウェーブレット変換する互いに直交する複数Ｍ個の実係数ウェーブレットフィルタで構成されるウェーブレット変換器と、
前記ウェーブレット変換器からの２ｎ−１番目（ｎは正の整数）の出力を複素情報の同相成分とし、２ｎ番目の出力を直交成分として（但し、１≦ｎ≦（Ｍ／２−１）、サブキャリア番号を０〜Ｍ−１とする）複素データを生成する複素データ生成器とを有することを特徴とする通信装置。
【請求項１０】ディジタルマルチキャリア変調処理を行う送信装置とディジタルマルチキャリア復調処理を行う受信装置とを有し、実係数ウェーブレットフィルタバンクを用いたディジタルマルチキャリア変復調処理によりデータ伝送を行うマルチキャリア伝送方法を用いた通信装置であって、
前記送信装置の変調部は、ビットデータをシンボルデータに変換して前記シンボルデータをＭ／２個（Ｍは複数）の複素座標面にマッピングするシンボルマッパと、
互いに直交するＭ個の実係数ウェーブレットフィルタで構成される逆ウェーブレット変換器と、
前記逆ウェーブレット変換器への２ｎ−１番目（ｎは正の整数）の入力に複素情報の同相成分を、２ｎ番目の入力に複素情報の直交成分を（但し、１≦ｎ≦（Ｍ／２−１）、サブキャリア番号を０〜Ｍ−１とする）供給するように複素データを実部と虚部に分解する複素データ分解器とを有することを特徴とする通信装置。
【請求項１１】前記複素データ分解器は、初期位相として０とπのみを用いることを特徴とする請求項１０に記載の通信装置。
【請求項１２】ディジタルマルチキャリア変調処理を行う送信装置とデジタルマルチキャリア復調処理を行う受信装置とを有し、実係数ウェーブレットフィルタバンクを用いたディジタルマルチキャリア変復調処理によりデータ伝送を行うマルチキャリア伝送方法を用いた通信装置であって、
前記送信装置は、連続する数シンボルの間に渡って同一で且つ前記受信装置で既知の同期用データを発生する同期用データ発生器と、
前記同期用データを用いて変調を行う変調部とを有し、
前記受信装置は、請求項９に記載の検波部と、
隣接する複素サブキャリア間の位相差からシンボル同期タイミングを推定する同期タイミング推定回路とを有することを特徴とする通信装置。
【請求項１３】前記受信装置は、前記検波部から得られる複素情報を用いて２ｎ−１番目（但し、１≦ｎ≦（Ｍ／２−１）、サブキャリア番号を０〜Ｍ−１とする）の出力と２ｎ番目の出力を合成して各サブキャリアに使用する等化係数を求める等化器と前記等化器から得られる信号を用いて判定を行う判定器とを有することを特徴とする請求項８に記載の通信装置。
【請求項１４】伝送路として電力線を用い、ディジタルマルチキャリア変調処理を行う送信装置とディジタルマルチキャリア復調処理を行う受信装置とを有し、変復調処理部分に複数のフィルタから構成されるフィルタバンクを用いる通信装置であって、
前記送信装置の送信部は、ビットデータをシンボルデータに変換してある信号点配置情報に従ってマッピングするシンボルマッパと、
前記シンボルマッパにおいて信号点配置された送信信号を逆変換して変調処理を行う互いに直交する複数Ｍ個のフィルタで構成されるフィルタバンクを用いた変調器とを有し、
前記受信装置の検波部は、受信信号を変換して復調処理を行う互いに直交する複数Ｍ個のフィルタで構成されるフィルタバンクを有することを特徴とする通信装置。
【請求項１５】前記送信装置と受信装置のフィルタのフィルタ長は、４Ｍであることを特徴とする請求項１４に記載の通信装置。
【請求項１６】複数のキャリアを受信し、受信した複数のキャリアを復調する受信装置であって、
前記複数のキャリアをウェーブレット変換して各前記複数のキャリアに対応する実部データを生成する実部データ生成部と、
前記実部データに対応する少なくとも１つのキャリアと直交する位相を有する虚部データを生成する虚部データ生成部と、
前記実部データを同相成分としてかつ前記虚部データを直交成分として、複素データを生成する複素データ生成器と、を有することを特徴とする通信装置。
【手続補正２】
【補正対象書類名】明細書
【補正対象項目名】００４３
【補正方法】変更
【補正の内容】
【００４３】
請求項１４に記載の通信装置は、伝送路として電力線を用い、ディジタルマルチキャリア変調処理を行う送信装置とディジタルマルチキャリア復調処理を行う受信装置とを有し、変復調処理部分に複数のフィルタから構成されるフィルタバンクを用いる通信装置であって、送信装置の送信部は、ビットデータをシンボルデータに変換してある信号点配置情報に従ってマッピングするシンボルマッパと、シンボルマッパにおいて信号点配置された送信信号を逆変換して変調処理を行う互いに直交する複数Ｍ個のフィルタで構成されるフィルタバンクを用いた変調器とを有し、受信装置の検波部は、受信信号を変換して復調処理を行う互いに直交する複数Ｍ個のフィルタで構成されるフィルタバンクを有することを特徴とする通信装置である。
【手続補正３】
【補正対象書類名】明細書
【補正対象項目名】００４７
【補正方法】変更
【補正の内容】
【００４７】
上記のように構成することにより、一般的にはフィルタバンクにおける各フィルタのフィルタ長を長くすれば長くするほど、深いノッチが形成されるが、その場合フィルタによる遅延が問題となる（フィルタ遅延とノッチの深さはトレードオフ）。よって、電力線通信においてはフィルタのフィルタ長を４Ｍに限定することにより、３０ｄＢのノッチが形成でき、且つフィルタ遅延を抑えることが可能であるという作用を有する。
請求項１６に記載の通信装置は、複数のキャリアを受信し、受信した複数のキャリアを復調する受信装置であって、前記複数のキャリアをウェーブレット変換して各前記複数のキャリアに対応する実部データを生成する実部データ生成部と、前記実部データに対応する少なくとも１つのキャリアと直交する位相を有する虚部データを生成する虚部データ生成部と、前記実部データを同相成分としてかつ前記虚部データを直交成分として、複素データを生成する複素データ生成器と、を有することとしたものである。
この構成により、受信装置に到来する実信号のみの時間信号からサブキャリア毎の複素情報を得ることができるので、高精度な復調を行うことができ、また、振幅値のみでなく位相情報も処理の対象とすることができるようになるため、群遅延などによって生じる劣悪な伝送路によって各サブキャリアの同期タイミングずれが生じた場合でもサブキャリア毎に位相回転分を補正して受信性能を向上させることができるという作用を有する。
【手続補正４】
【補正対象書類名】明細書
【補正対象項目名】０１１６
【補正方法】変更
【補正の内容】
【０１１６】
送信装置の送信部６００において、シンボルマッパ６１０ではビットデータをシンボルデータに変換してある信号点配置情報に従ってマッピングし、フィルタバンク型変調器６２０ではシンボルマッパ６１０において信号点配置された送信信号を逆変換して変調処理を行い、Ｄ／Ａ変換器２４０ではディジタル信号をアナログ信号に変換し、受信装置の検波部７００において、Ａ／Ｄ変換器１１０ではアナログ信号をディジタル信号に変換し、フィルタバンク型復調器６３０では受信信号を変換して復調処理を行う。ここで使用可能なフィルタバンクとしては、時間領域および周波数領域で局在しているような信号を使用したフィルタバンクであり、代表としてＷａｖｅｌｅｔベースのコサイン変調フィルタバンクやＦＦＴベースのＰｕｌｓｅ  Ｓｈａｐｉｎｇ型ＯＦＤＭなど、があげられる。図にコサイン変調フィルタバンクを用いた場合の振幅スペクトル（フィルタ長４Ｍの場合）を示す。図ではアマチュア無線帯域と重なるサブキャリアを不使用としてノッチを形成している。このようにフィルタバンクを使用して変復調処理を行うことにより、帯域制限された（Ｐｕｌｓｅ  Ｓｈａｐｉｎｇされた）サブキャリアを使用したマルチキャリア伝送が可能となる。帯域制限型マルチキャリアを電力線通信に使用することにより、狭帯域妨害波やキャリア間干渉などに耐性を持たせることができる。また、各サブキャリアが帯域制限されているので、数本のサブキャリアを不使用とすることにより、鋭いノッチを形成することができる。
【手続補正５】
【補正対象書類名】明細書
【補正対象項目名】０１３２
【補正方法】変更
【補正の内容】
【０１３２】
請求項１４に記載の通信装置によれば、伝送路として電力線を用い、ディジタルマルチキャリア変調処理を行う送信装置とディジタルマルチキャリア復調処理を行う受信装置とを有し、変復調処理部分に複数のフィルタから構成されるフィルタバンクを用いる通信装置であって、前記送信装置の送信部は、ビットデータをシンボルデータに変換してある信号点配置情報に従ってマッピングするシンボルマッパと、前記シンボルマッパにおいて信号点配置された送信信号を逆変換して変調処理を行う互いに直交する複数Ｍ個のフィルタで構成されるフィルタバンクを用いた変調器とを有し、前記受信装置の検波部は、受信信号を変換して復調処理を行う互いに直交する複数Ｍ個のフィルタで構成されるフィルタバンクを有することにより、帯域制限された（Ｐｕｌｓｅ  Ｓｈａｐｉｎｇされた）サブキャリアを使用したマルチキャリア伝送が可能となる。帯域制限型マルチキャリアを電力線通信に使用することにより、狭帯域妨害波やキャリア間干渉などに耐性を持たせることができる。また、各サブキャリアが帯域制限されているので、数本のサブキャリアを不使用とすることにより、鋭いノッチを形成することができる。